(57)【特許請求の範囲】
【請求項１】
ヘッドレールが延伸する水平軸を回転軸として回転し、遮光材を巻き取ったり繰り出したりすることができる巻き取りローラを備えた遮光幕における前記巻き取りローラの回転を制御する装置であって、
前記巻き取りローラに連結すると前記水平軸と交差する垂直軸に沿って延伸するスパイラルシャフトと、前記スパイラルシャフトを囲んでいるスリーブシェルと、該スリーブシェル内に設けられている軸受と、該軸受内に設けられている伝動部材と、前記スリーブシェルと前記軸受とにかけて設けられている回転止め手段と、から構成されており、
前記スパイラルシャフトは、前記垂直軸を回転軸として回転させられると前記巻き取りローラを前記水平軸を回転軸として回転駆動することができるように、前記巻き取りローラ側に連結することができるシャフト端と、該シャフト端から延伸するシャフトボディを有し、該シャフトボディの外周面にはねじ溝が設けられており、
前記スリーブシェルは、前記垂直軸に沿って延伸する両端にそれぞれ第１の端壁と第２の端壁とを有すると共に、前記第１の端壁に隣接する第１の周壁と前記第２の端壁に隣接する第２の周壁とが形成され、該スリーブシェルと前記スパイラルシャフトとの間にスリーブシェル内空間を画成するように、前記スパイラルシャフトを囲み且つ回転可能に配置されており、
前記軸受は、前記スパイラルシャフトの前記シャフトボディを囲む環状ベース壁を有するベース部と、該環状ベース壁を包囲する環状受動壁を有するカバー部と、を有し、前記環状受動壁は前記垂直軸に沿って延伸した一端に第１の受動端を、他端に第２の受動端を有しており、また前記軸受は前記スリーブシェル内空間で前記垂直軸に沿って、前記スリーブシェルが外部から力を加えられて下げられることにより前記第１の端壁と前記第１の受動端とが当接する位置である引き下げ位置と、前記スリーブシェルが外部から力を加えられて上げられることにより前記第２の受動端と前記第２の端壁とが当接する位置である押し上げ位置と、の間で往復移動できるように配置されており、
前記伝動部材は、前記環状ベース壁に上方に開口して前記伝動部材を回転可能に受け入れるように設けられた伝動部材受け切欠に回転可能に支承されると共に前記ねじ溝に対して転動可能に前記ねじ溝と接触するように前記ねじ溝に嵌められており、また、前記環状受動壁には、前記第１の受動端の周縁から内向きに延伸し、前記伝動部材受け切欠と協働して前記伝動部材を支持する内向フランジが設けられており、
前記回転止め手段は、前記軸受の前記スリーブシェルに対する回転を防止できるように前記第１の周壁と前記環状受動壁とにかけて設けられており、
前記軸受が前記引き下げ位置にある時に、前記軸受の前記スリーブシェルに対する回転が防止されるので、前記スリーブシェルに前記垂直軸に沿って加えられた力が、前記環状受動壁を前記垂直軸に沿って動かすよう伝えられるようになり、前記伝動部材と前記ねじ溝との嵌合により前記スパイラルシャフトが前記垂直軸を軸として回転し、これにより前記遮光材を巻き取ることができる、
ことを特徴とした遮光幕用巻き取りローラ制御装置。
【請求項２】
前記回転止め手段は、前記第１の周壁から内向きに突出している複数の棒状突起と、該棒状突起と係合して制動されるように前記垂直軸を軸とした周方向に設けられた複数の回転止め突起と、から構成されており、
前記垂直軸に沿った力が前記スリーブシェルに加えられている時に、前記軸受の前記スリーブシェルに対する回転が防止されていることにより、前記スパイラルシャフトが前記垂直軸を軸として回転する、
ことを特徴とした請求項１に記載の遮光幕用巻き取りローラ制御装置。
【請求項３】
前記ベース部の前記環状ベース壁と、前記カバー部の前記環状受動壁と、が、互いにスプライン構造により組み合わされている、
ことを特徴とした請求項１または２に記載の遮光幕用巻き取りローラ制御装置。
【請求項４】
前記スリーブシェルは、前記第１の周壁を有する第１の筐体部分と、前記第２の周壁を有する第２の筐体部分と、を含み、該第１の筐体部分と該第２の筐体部分とがスプライン構造により組み合わされている、
ことを特徴とした請求項１から３のいずれか一項に記載の遮光幕用巻き取りローラ制御装置。
【請求項５】
前記第１の筐体部分と前記第２の筐体部分とにおいて、前記第１の端壁には第１の案内孔が、前記第２の端壁には第２の案内孔がそれぞれ設けられており、該第１及び第２の案内孔に前記スパイラルシャフトが通されている、
ことを特徴とした請求項４に記載の遮光幕用巻き取りローラ制御装置。
【発明の詳細な説明】
【技術分野】
【０００１】
本発明は、制御装置に関し、特に遮光幕用の巻き取りローラの回転を制御する装置に関する。
【背景技術】
【０００２】
従来より、屋内で用いる遮光装置としての遮光幕は、一般に巻き取りローラと、これに吊り下げられる遮光材と、巻き取りローラの一端に巻き付けられて垂れ下がる紐またはチェーンと、から構成される。これら紐またはチェーンは、遮光材の昇降を制御する手段となっており、紐またはチェーンを引いて巻き取りローラを回転させることにより、遮光材を巻き取るか繰り出すかして遮光材を上げ下げしている。
【０００３】
しかし、この垂れ下がった紐またはチェーンが、例えば幼い子供のいる場所においては、子供の首や手足に巻きついてしまい思わぬ事故につながるという危険性があった。そこで、巻き取りローラを制御するための紐またはチェーンを棒状のものに替えて安全を図った遮光幕が発案されている（例えば、特許文献１又は２参照）。
【０００４】
これは、ローラ制御装置として紐の代わりにシャフトを用いたもので、シャフトの上端が巻き取りローラ側と繋がって垂れ下がっており、シャフトを垂直軸を回転軸として回転させると、回転軸の角度を垂直軸から水平軸に変換することができる回転伝動機構が介在していることにより、巻き取りローラが水平軸を回転軸として回転し、遮光材を巻き取ることができる。
【０００５】
また、シャフトを回転させやすくするために、シャフトの下端から延伸して直角に二度折れ曲がり略Ｎ字形に形成されたハンドルがシャフトの下端にヒンジを介して取り付けられており、てこの原理を利用してシャフトを回転させやすくしている。
【先行技術文献】
【特許文献】
【０００６】
【特許文献１】米国特許出願公開第２０１１／０１８６２４６号明細書
【特許文献２】欧州特許出願公開第２３６９１２３号明細書
【発明の概要】
【発明が解決しようとする課題】
【０００７】
しかしながら、上記のローラ制御装置では、シャフトを回すためのハンドルを小さくすると回転に大きな力が必要となって制御しにくくなり、また大きくすると小さな力でも回せるようになるが回転軌道が大きくなるのでやはり制御しにくくなる。
【０００８】
このように、シャフトとこれを回すためのハンドルを備えたローラ制御装置は、ハンドルのサイズを大きいものにしても小さいものにしてもどちらもローラの回転を制御するのに非効率的なものであった。
【０００９】
そこで本発明は、伝動効率が向上されて、回転が滑らかであり、且つ構造が簡単な遮光幕用巻き取りローラ制御装置の提供を目的とする。
【課題を解決するための手段】
【００１０】
本発明は、上記目的を達成するために、以下の手段を用いた。
【００１１】
すなわち、本発明の遮光幕用巻き取りローラ制御装置は、
ヘッドレールが延伸する水平軸を回転軸として回転し、遮光材を巻き取ったり繰り出したりすることができる巻き取りローラを備えた遮光幕における前記巻き取りローラの回転を制御する装置であって、
前記巻き取りローラに連結すると、前記水平軸と交差する垂直軸に沿って延伸するスパイラルシャフトと、前記スパイラルシャフトを囲んでいるスリーブシェルと、該スリーブシェル内に設けられている軸受と、該軸受内に設けられている伝動部材と、前記スリーブシェルと前記軸受とにかけて設けられている回転止め手段と、から構成されている。
【００１２】
前記スパイラルシャフトは、前記垂直軸を回転軸として回転させられると前記巻き取りローラを前記水平軸を回転軸として回転駆動することができるように、前記巻き取りローラ側に連結することができるシャフト端と、該シャフト端から延伸するシャフトボディと、を有し、該シャフトボディの外周面にはねじ溝が設けられている。
【００１３】
前記スリーブシェルは、それぞれ前記垂直軸に沿って延伸する両端にそれぞれ第１の端壁と第２の端壁とを有すると共に、前記第１の端壁に隣接する第１の周壁と前記第２の端壁に隣接する第２の周壁とが形成され、該スリーブシェルと前記スパイラルシャフトとの間にスリーブシェル内空間を画成するように、前記スパイラルシャフトを囲み且つ回転可能に配置されている。
【００１４】
前記軸受は、前記スパイラルシャフトの前記シャフトボディを囲む環状ベース壁と、該環状ベース壁を包囲する環状受動壁と、を有し、前記環状受動壁は、前記垂直軸に沿って延伸した一端に第１の受動端を、他端に第２の受動端を有しており、また前記軸受は、前記スリーブシェル内空間で前記垂直軸に沿って、前記スリーブシェルが外部から力を加えられて下げられることにより前記第１の端壁と前記第１の受動端とが当接する位置である引き下げ位置と、前記スリーブシェルが外部から力を加えられて上げられることにより前記第２の受動端と前記第２の端壁とが当接する位置である押し上げ位置と、の間で往復移動できるように配置されている。
【００１５】
前記伝動部材は、前記環状ベース壁に支承されていると共に前記ねじ溝に嵌められており、
前記回転止め手段は、前記軸受の前記スリーブシェルに対する回転を防止できるように前記第１の周壁と前記環状受動壁とにかけて設けられている。
【００１６】
以上の手段により、前記軸受が前記引き下げ位置にある時に、前記軸受の前記スリーブシェルに対する回転が防止されるので、前記スリーブシェルに前記垂直軸に沿って加えられた力が、前記環状受動壁を前記垂直軸に沿って動かすよう伝えられるようになり、前記伝動部材と前記ねじ溝との嵌合により前記スパイラルシャフトが前記垂直軸を軸として回転し、これにより前記遮光材を巻き取ることができる。
【発明の効果】
【００１７】
以上の構成によれば、伝動部材が転動可能にスパイラルシャフトのねじ溝に嵌められているので、スパイラルシャフトに取り付けられているスリーブを引き下げたり押し上げたりするという簡易な操作だけで、スパイラルシャフトとこれに接続されている巻き取りローラとをすばやく回転させることができ、これにより遮光材をスムーズに巻き取ることができる。
【図面の簡単な説明】
【００１８】
【図１】本発明に係る制御装置の一実施の形態を示す斜視図である。
【図２】本発明に係る制御装置の分解斜視図である。
【図３】本発明に係る制御装置が押し上げられている状態を示す軸方向の断面図である。
【図４】本発明に係る制御装置が引き下げられている状態を示す軸方向の断面図である。
【図５】図４の５−５線に沿った断面図である。
【図６】図３の６−６線に沿った断面図である。
【発明を実施するための形態】
【００１９】
以下、添付図面を参照して、本発明の実施形態について詳しく説明する。
【００２０】
図１〜図３は、本発明に係る制御装置１０の一実施の形態を示している。
【００２１】
遮光幕１は、水平軸Ｌ１に沿って延伸するヘッドレール１１と、ヘッドレール１１から張り出し且つ互いに距離を置くように配置された２つのシャフトガイド１２（図１では１つだけ図示）と、２つのシャフトガイド１２の間に水平軸Ｌ１を回転軸として回転できるように配置された２つの回転スリーブ１３（図１では１つだけ図示）と、２つの回転スリーブ１３の間に挟まれるように固定されてこれらと共に回転できる巻き取りローラ１４と、巻き取りローラ１４に一端が固定されていることにより巻き取りローラ１４の回転につれて巻き取られたり繰り出されたりする遮光材１５と、２つの回転スリーブ１３のうちの一つに一端が固定されており、水平軸Ｌ１に沿って延伸してシャフトガイド１２を通ってから水平軸Ｌ１と交差する垂直軸Ｌ２に折れ曲がるように形成された接続手段１６と、から構成されており、接続手段１６の他端は接続端１６１として制御装置１０に繋がることが可能である。
【００２２】
本実施形態に係る制御装置１０は、このようにヘッドレール１１が延伸する水平軸Ｌ１を回転軸として回転し、遮光材１５を巻き取ったり繰り出したりすることができる巻き取りローラ１４を備えた遮光幕における、巻き取りローラ１４の回転を制御する装置である。
【００２３】
制御装置１０は、巻き取りローラ１４に連結すると、接続手段１６の接続端１６１に繋がって垂直軸Ｌ２に沿って延伸するスパイラルシャフト２と、これを囲んでいるスリーブシェル３と、スリーブシェル３内に設けられている軸受４と、軸受４内に設けられている伝動部材４２と、スリーブシェル３と軸受４とにかけて設けられている回転止め手段７と、から構成されている。
【００２４】
スリーブシェル３は、例えば使用者の手により把持されて下げられたり上げられたりすることができるものである。
【００２５】
スパイラルシャフト２は、外周面にらせん状のねじ溝２１が設けられており、上端で接続手段１６の接続端１６１と繋がるシャフト端２２と、該シャフト端２２から延伸するシャフトボディ２４と、を有し、垂直軸Ｌ２に沿って吊り下げられ、垂直軸Ｌ２を回転軸として回転することができる。ここで接続手段１６としては、スパイラルシャフト２を回転させる力を、巻き取りローラ１４を回転させる駆動力に変換することができるものであればよく、例えば各種の軸継手あるいはギア等の伝動機構を用いても構わない。これによりスパイラルシャフト２を、垂直軸Ｌ２を回転軸として回転させると、巻き取りローラ１４は水平軸Ｌ１を回転軸として回転駆動させられる。
【００２６】
スリーブシェル３は、それぞれ開口を有する中空の半球状に形成された第１の筐体部分３１と第２の筐体部分３３とを有している。第１の筐体部分３１と第２の筐体部分３３とには、それぞれにスプライン構造が設けられており、このスプライン構造により互いの開口を合わせて接続すると１つの中空球状になるように構成されている。ここでスプライン構造としては、例えば本実施形態のように、第２の筐体部分３３に複数の突起３３５を、また第１の筐体部分３１に形状と位置と数量とが突起３３５に対応する突起受け孔３１５を、第１及び第２の筐体部分３１、３３が互いの開口を合わせ一つの球状を呈した時に互いに当接する面にそれぞれ垂直に延伸するように設けて、突起３３５を突起受け孔３１５に差し込むと、第１の筐体部分３１と第２の筐体部分３３とが互いに係合し固定されるようにしてもよい。
【００２７】
このように第１の筐体部分３１と第２の筐体部分３３とが接続されると、スリーブシェル３が中空球状に形成される。
【００２８】
また、スリーブシェル３を構成する第１の筐体部分３１は、第１の周壁３１２と第１の端壁３１１とを、第２の筐体部分３３は、第２の周壁３３２と第２の端壁３３１とをそれぞれ有している。第１及び第２の周壁３１２、３３２は、第１及び第２の筐体部分３１、３３が接触している面からそれぞれ垂直軸Ｌ２に沿って対応して円弧状に延伸した切頭半円球状の壁であり、また第１及び第２の端壁３１１、３３１は、これら第１及び第２の周壁３１２、３３２が互いに延伸した上下の端が更にそれぞれ垂直軸Ｌ２へ向かって延伸するように形成された壁である。言い換えれば、スリーブシェル３は、垂直軸Ｌ２に沿って延伸する両端にそれぞれ第１の端壁３１１と第２の端壁３３１とを有しており、スリーブシェル３には、更に第１の端壁３１１に隣接する第１の周壁３１２が、第２の端壁３３１に隣接する第２の周壁３３２が形成されている。さらに第１の端壁３１１には第１の案内孔３１４が、第２の端壁３３１には第２の案内孔３３４がそれぞれの中心に貫設されており、これらの案内孔３１４、３３４を経由してスパイラルシャフト２がスリーブシェル３内に通されている。
【００２９】
このようにスリーブシェル３は、垂直軸Ｌ２に沿ってスパイラルシャフト２に貫通されており、つまりスリーブシェル３は、スパイラルシャフト２を囲んでおり且つ互いに回転可能になっている。また、スリーブシェル３の内周面とスパイラルシャフト２との間には、スリーブシェル内空間３２が画成されている。
【００３０】
軸受４は、スパイラルシャフト２に貫通されて回動及び上下動可能にスリーブシェル内空間３２に配置されており、ベース部４１０とカバー部４１１とから構成されている。
【００３１】
ベース部４１０は、スパイラルシャフト２のシャフトボディ２４を取り囲むように、スパイラルシャフト２の延伸方向、つまり垂直軸Ｌ２に沿って延伸した環状ベース壁４１６を有し、環状ベース壁４１６には、上方に開口し、伝動部材４２が回転可能になるようにこれを受け入れる伝動部材受け切欠４１９が、等間隔で互いに離間するように環状ベース壁４１６の一端（図示における上端）から他端の方向に一部切り込んだように設けられている。なお、伝動部材受け切欠４１９の数量は、伝動部材４２の数量と対応している。
【００３２】
カバー部４１１は、環状ベース壁４１６を包囲するように、スパイラルシャフト２の延伸方向、つまり垂直軸Ｌ２に沿って環状ベース壁４１６よりも長く延伸した環状受動壁４１２と、この環状受動壁４１２の一端（図示における上端）から垂直軸Ｌ２に向かって延伸するように環状に形成された内向フランジ４１３と、から構成されている。また、環状受動壁４１２は、延伸した一端（図示における上端）に第１の受動端４１２１を、他端（図示における下端）に第２の受動端４１２２を有しており、内向フランジ４１３は、この第１の受動端４１２１の周縁から内向きに延伸し、伝動部材受け切欠４１９と協働して伝動部材４２を支持できるように設けられている。
【００３３】
また、カバー部４１１は、ベース部４１０を覆い囲むようにスプライン構造によってベース部４１０に固定されている。詳しく言うと、カバー部４１１の環状受動壁４１２と、ベース部４１０の環状ベース壁４１６と、が、互いにスプライン構造により組み合わされており、ここでスプライン構造としては、本実施形態では、環状受動壁４１２にスプライン溝４１５を、環状ベース壁４１６にスプライン突起４１７を設けて互いに嵌合させて固定したが、スプライン構造としてはこれに限らず、要はカバー部４１１とベース部４１０とが固定されさえすればよい。
【００３４】
また、軸受４は、スパイラルシャフト２に貫通されているだけであり固定はされていないので、スリーブシェル内空間３２において押し上げ位置（図３における位置）と引き下げ位置（図４における位置）との間でスパイラルシャフト２に沿って、つまり垂直軸Ｌ２に沿って移動できる。ここで押し上げ位置とは、スリーブシェル３が外部から力を加えられて上方に上げられることにより、軸受４の下端とスリーブシェル３とが当接する位置、つまり第２の受動端４１２２と第２の端壁３３１とが当接する位置を指し、また引き下げ位置とは、スリーブシェル３が外部から力を加えられて下方に下げられることにより、軸受４の上端とスリーブシェル３とが当接する位置、つまり第１の受動端４１２１と第１の端壁３１１とが当接する位置を指す。
【００３５】
伝動部材４２は、複数（本実施形態では４つ）の球体を用いており、ベース部４１０の環状ベース壁４１６に支承されていると共にねじ溝２１に嵌められている。詳しく言うと、伝動部材４２は、それぞれが環状ベース壁４１６に設けられている各伝動部材受け切欠４１９に回転可能に嵌め込まれており且つねじ溝２１に対して転動可能にねじ溝２１と接触している。これにより伝動部材４２は、垂直軸Ｌ２と平行な方向においては内向フランジ４１３と伝動部材受け切欠４１９との間に、水平軸Ｌ１と平行な方向においてはカバー部４１１の環状受動壁４１２とスパイラルシャフト２のねじ溝２１との間に回転可能に挟持される。
【００３６】
なお、上述のように本実施形態では伝動部材４２としてスパイラルシャフト２に対して転動可能な球体を用いたが、他の形態として、伝動部材４２と軸受４とを一体に形成してもよい。
【００３７】
回転止め手段７は、軸受４が上記引き下げ位置にある時に軸受４のスリーブシェル３に対する回転を止められるように第１の周壁３１２と環状受動壁４１２とにかけて設けられている。詳しく言うと、回転止め手段７は、第１の筐体部分３１内において第１の周壁３１２の内周面から内向きに突出するように設けられた複数の棒状突起３１３と、この棒状突起３１３と係合して制動されるようにカバー部４１１の環状受動壁４１２の外周面から垂直軸Ｌ２を軸とした周方向に突出するように設けられた複数の回転止め突起４１４と、からなっており、図４及び図５に示すように軸受４が上記引き下げ位置にある時に、これらの突起３１３、４１４が係合すると、軸受４のスリーブシェル３に対する回転を防止することができる。
【００３８】
以上の構造により、軸受４が上記引き下げ位置にある時に、軸受４のスリーブシェル３に対する回転が防止されるので、スリーブシェル３に垂直軸Ｌ２に沿って外部から力が下方へ加えられると、環状受動壁４１２が第１の端壁３１１に当接していることにより、環状受動壁４１２は垂直軸Ｌ２に沿って動かされ、更にこの力が伝動部材４２に伝えられ、伝動部材４２とねじ溝２１との嵌合によりスパイラルシャフト２が垂直軸Ｌ２を軸として回転し、これにより遮光材１５を巻き取ることができる。
【００３９】
以下、本発明の制御装置１０を用いて遮光材１５を巻き取る機構をより詳しく説明する。図２、図４及び図５に示したように、スパイラルシャフト２の自由端方向、つまり図示における下方に向かう外力がスリーブシェル３に継続的に加えられると、スリーブシェル３内に設けられている軸受４もスリーブシェル３と共に、スパイラルシャフト２に沿って下方へ移動する。この時、伝動部材４２とスパイラルシャフト２のねじ溝２１とが嵌合していることから、伝動部材４２はねじ溝２１が画成するらせんに沿って転動する。これによって軸受４に対する回転力が生まれるが、軸受４は回転止め手段７により回転を防止されているので、この回転力は更にスリーブシェル３に伝わる。しかし、スリーブシェル３は使用者により把持されているので回転できず、よってこの回転力はスパイラルシャフト２の回転（本実施形態では時計回りの回転）を導くことになる。そしてスパイラルシャフト２の回転は巻き取りローラ１４に伝わり、巻き取りローラ１４を回転させることができる。以上の機構により、スリーブシェル３を引き下げることで巻き取りローラ１４を回転させ、遮光材１５を巻き取ることが可能になる。また、巻き取りローラ１４が遮光材１５を巻き取り終わらないうちに、スリーブシェル３が使用者の操作しにくい高さまで下がった時には、遮光材１５の巻き取り作業を継続するためにスリーブシェル３を再び高い位置に戻すことができる。図３及び図６に示したように、例えば使用者の手によりスリーブシェル３が上方に動かされると、これに伴って軸受４が前記押し上げ位置に移動する。スパイラルシャフト２の接続端方向、つまり図示における上方に向かう力がスリーブシェル３に更に継続的に加えられると、スリーブシェル３内に設けられている軸受４も、スリーブシェル３の下端、つまり第２の端壁３３１に押し上げられるようにスリーブシェル３と共にスパイラルシャフト２に沿って上方へ移動する。この時、伝動部材４２とスパイラルシャフト２のねじ溝２１とが嵌合していることから、伝動部材４２はねじ溝２１が画成するらせんに沿って転動し、これによって軸受４に対する回転力が生まれる。回転止め手段７は第１の筐体部分３１に設けられているだけで、第２の筐体部分３２には設けられていないので、軸受４が前記押し上げ位置にある時は軸受４のみが回転し、スパイラルシャフト２は回転しない。
【００４０】
このように、スリーブシェル３を上げると、軸受４が回転することにより、スパイラルシャフト２を回転させずに、スリーブシェル３を高い位置に戻すことができる。この後再びスリーブシェル３を下げることにより、スパイラルシャフト２を同じ方向にだけ回転させ続けることができ、これにより遮光材１５を継続的に且つすばやく巻き取ることができる。
【００４１】
逆に、遮光材１５を繰り出したい時、つまり遮光材１５を巻き取りローラ１４から繰り出したい時には、スパイラルシャフト２をスリーブシェル３による操作で回転する時とは反対の方向（本実施形態では反時計回りの回転）に直接手動で回してもよい。この際には遮光材１５の重量が助力となって使用者はスパイラルシャフト２を容易に回転させることができる。
【００４２】
上記のように、本発明に係る制御装置１０は構造が簡素であり、しかも容易な操作で遮光材をスムーズに巻き取ることができ、特に長めの遮光材の巻き取りに適している。
【００４３】
以上、本発明を具体的な実施形態に則して詳細に説明したが、本発明は上記実施形態及び添付図面に限定されるものではなく、最も広い解釈の範囲に含まれる種々の変更を網羅していることが意図されていると理解されるべきである。
【産業上の利用可能性】
【００４４】
本発明に係る遮光幕用巻き取りローラ制御装置は、簡単な操作で巻き取りローラをすばやく回転させられ遮光材をスムーズに巻き取ることができるので、いわゆるロールスクリーンなど遮光幕の巻き上げを制御する装置として利用することができる。
【符号の説明】
【００４５】
１            遮光幕
１０          制御装置
１１          ヘッドレール
１２          シャフトガイド
１３          回転スリーブ
１４          巻き取りローラ
１５          遮光材
１６          接続手段
１６１        接続端
２            スパイラルシャフト
２１          ねじ溝
２２          シャフト端
２４          シャフトボディ
３            スリーブシェル
３１          第１の筐体部分
３１１        第１の端壁
３１２        第１の周壁
３１３        棒状突起
３１４        第１の案内孔
３１５        突起受け孔
３２          スリーブシェル内空間
３３          第２の筐体部分
３３１        第２の端壁
３３２        第２の周壁
３３４        第２の案内孔
３３５        突起
４            軸受
４１０        ベース部
４１１        カバー部
４１２        環状受動壁
４１２１      第１の受動端
４１２２      第２の受動端
４１３        内向フランジ
４１４        回転止め突起
４１５        スプライン溝
４１６        環状ベース壁
４１７        スプライン突起
４１９        伝動部材受け切欠
４２          伝動部材
７            回転止め手段
Ｌ１          水平軸
Ｌ２          垂直軸
【図３】
0005971951.tif 000002
【図４】
0005971951.tif 000003
【図５】
0005971951.tif 000004
【図６】
0005971951.tif 000005
【図１】
0005971951.tif 000006
【図２】
0005971951.tif 000007